(57)【要約】【課題】遊技者が短い離席を繰り返す場合であっても、離席する際に必要となる操作を極力排除しながら効果的に遊技者の損失の発生を防止することができる遊技機装置を提供する。【解決手段】計数装置３は、貸出装置２が会員カードを受付けた状態で対応付条件が満たされた場合に、持玉カードと会員カードとを対応付ける対応付処理を行い、対応付処理済であるにもかかわらず会員カードを受付けていない場合は（Ｆ２：ＮＯ、Ｆ５：ＮＯ）、持玉カードの発行を禁止する一方（Ｆ７）、対応付処理が未処理である場合には（Ｆ２：ＹＥＳ）、持玉カードの発行を禁止しない（Ｆ６）。【選択図】図１２
2010119570.tif 000002
【特許請求の範囲】
【請求項１】
遊技機に対応して設けられ、対応する遊技機で遊技者が獲得した遊技媒体である獲得媒体を計数する計数処理を行う計数手段を備えた遊技機装置であって、
遊技者のＩＤを受付けた場合に受付状態となる受付処理を行う一方、所定の操作に応じて当該受付状態を解除する受付手段と、
前記計数手段が計数した前記獲得媒体数を特定可能な情報が記録された記録媒体を発行する発行処理を行う発行手段と、
前記受付手段が受付けたＩＤと発行手段により発行される記録媒体とを対応付ける対応付処理を行う対応付手段と、
前記対応付手段による対応付処理に関する所定の条件である対応付条件を設定する設定手段と、
前記発行手段による発行処理を抑制する抑制処理を行う抑制手段と、を備え、
前記対応付手段は、前記設定手段により設定される対応付条件が満たされ、且つ前記受付手段が受付状態であることを条件に対応付処理を行い、
前記抑制手段は、前記対応付手段による対応付処理が行われた状態で、更に前記受付手段の受付状態が解除されている場合に抑制処理を行う一方、対応付処理が行われていない状態では抑制処理を行わないことを特徴とする遊技機装置。
【請求項２】
前記対応付条件は、前記獲得媒体数が所定のしきい値を超えること、或いは前記対応する遊技機が所定の遊技状態となることであり、
前記発行手段は、前記計数手段による計数処理に応じて、或いは対応付条件が満たされた場合に前記発行対象となる前記記録媒体を特定する一方、所定の発行操作を受付けた場合には発行処理を行い、
前記対応付手段は、前記獲得媒体数が前記しきい値を超えた場合、或いは前記対応する遊技機が所定の遊技状態となった場合に対応付条件が満たされたとして、前記発行手段により特定された前記記録媒体と前記ＩＤとを対応付けることで対応付処理を行うことを特徴とする請求項１記載の遊技機装置。
【請求項３】
前記受付手段が受付状態でない状態で前記対応付条件が満たされた場合に、前記対応付処理、或いは抑制処理が行えないことを報知する報知処理を行う報知手段を備え、
前記対応付手段は、前記報知手段による報知処理が行われている状態で前記受付手段による受付処理が行われた場合に前記対応付処理を行うことを特徴とする請求項１または２記載の遊技機装置。
【請求項４】
前記設定手段は、前記対応付条件とは異なる所定の予告報知条件を設定し、
前記報知手段は、前記予告報知条件が満たされ、更に前記受付手段が受付状態である場合に、所定の予告報知を行うことを特徴とする請求項３記載の遊技機装置。
【発明の詳細な説明】
【技術分野】
【０００１】
本発明は、対応する遊技機で遊技者が獲得した遊技媒体である獲得媒体を計数する計数処理を行う計数手段を備えた遊技機装置に関する。
【背景技術】
【０００２】
近年、特許文献１の様に遊技機毎に計数機（以下、台毎計数機）を設ける遊技場が増加しつつある。
【特許文献１】実用新案２５７９７９２号公報
【特許文献１】特開平１１−３３３１１５号公報
【発明の開示】
【発明が解決しようとする課題】
【０００３】
さて、遊技場では、遊技中の遊技者に対して遊技する遊技機を確保した状態で食事やトイレ等の休憩を認めるサービスが行われている。そして、休憩中は遊技者が離席するため、無用な損失が発生しない様に、特許文献２等にて台毎計数機や遊技機等の作動を停止することが提案されている。
【０００４】
特許文献２には、離席時に中断キーの操作に応じて離席カードを発行し、その離席カードを受付けるまで、遊技機等の作動を停止する旨が記載されている。この場合、遊技中に離席する回数が比較的限られた食事等の休憩に対しては、操作や離席カードの処理を遊技者に面倒臭がられる可能性は低いが、離席時間が比較的短く離席頻度の高いトイレやジュースの買出し等の休憩に対しては、離席カードの発行操作を面倒臭がられる可能性が高く、発行操作を怠った結果、台毎計数機にて計数した遊技媒体を示す記録媒体や、挿入中の会員カード等の盗難にあう虞があった。
【０００５】
本発明は上記事情に鑑みてなされたもので、その目的は、遊技者が短い離席を繰り返す場合であっても、離席する際に必要となる操作を極力排除しながら効果的に遊技者の損失の発生を防止することができる遊技機装置を提供することにある。
【課題を解決するための手段】
【０００６】
本発明の遊技機装置は、遊技機に対応して設けられ、対応する遊技機で遊技者が獲得した遊技媒体である獲得媒体を計数する計数処理を行う計数手段を備えた遊技機装置であって、
遊技者のＩＤを受付けた場合に受付状態となる受付処理を行う一方、所定の操作に応じて当該受付状態を解除する受付手段と、前記計数手段が計数した前記獲得媒体数を特定可能な情報が記録された記録媒体を発行する発行処理を行う発行手段と、前記受付手段が受付けたＩＤと発行手段により発行される記録媒体とを対応付ける対応付処理を行う対応付手段と、前記対応付手段による対応付処理に関する所定の条件である対応付条件を設定する設定手段と、前記発行手段による発行処理を抑制する抑制処理を行う抑制手段と、を備え、
前記対応付手段は、前記設定手段により設定される対応付条件が満たされ、且つ前記受付手段が受付状態であることを条件に対応付処理を行い、前記抑制手段は、前記対応付手段による対応付処理が行われた状態で、更に前記受付手段の受付状態が解除されている場合に抑制処理を行う一方、対応付処理が行われていない状態では抑制処理を行わないものである（請求項１）。
【０００７】
請求項１の遊技機装置において、前記対応付条件は、前記獲得媒体数が所定のしきい値を超えること、或いは前記対応する遊技機が所定の遊技状態となることであり、前記発行手段は、前記計数手段による計数処理に応じて、或いは対応付条件が満たされた場合に前記発行対象となる前記記録媒体を特定する一方、所定の発行操作を受付けた場合には発行処理を行い、前記対応付手段は、前記獲得媒体数が前記しきい値を超えた場合、或いは前記対応する遊技機が所定の遊技状態となった場合に対応付条件が満たされたとして、前記発行手段により特定された前記記録媒体と前記ＩＤとを対応付けることで対応付処理を行うようにしてもよい（請求項２）。
【０００８】
請求項１または２の遊技機装置において、前記受付手段が受付状態でない状態で前記対応付条件が満たされた場合に、前記対応付処理、或いは抑制処理が行えないことを報知する報知処理を行う報知手段を備え、
前記対応付手段は、前記報知手段による報知処理が行われている状態で前記受付手段による受付処理が行われた場合に前記対応付処理を行うようにしてもよい。
【０００９】
請求項３の遊技機装置において、前記設定手段は、前記対応付条件とは異なる所定の予告報知条件を設定し、前記報知手段は、前記予告報知条件が満たされ、更に前記受付手段が受付状態である場合に、所定の予告報知を行うようにしてもよい（請求項４）。
【発明の効果】
【００１０】
請求項１の発明によれば、遊技者のＩＤの受付状態でない場合は記録媒体の発行を抑制するため、ＩＤと記録媒体とを対応付ける対応付処理後、遊技中にＩＤの受付状態を解除すれば、僅かな期間の離席時等にいちいち記録媒体を発行する等の面倒な操作を行うこと無く、記録媒体を悪用（盗難等）される虞が無くなる。
【００１１】
また、対応付処理はＩＤが受付状態であることを条件に行われるため、少なくとも対応付条件が満たされるまでの期間に受付処理を行わない等して対応付処理を行わなければ、発行処理時にＩＤを受付しなくとも抑制処理が行われない。即ち、僅かな期間の離席を繰り返し、その離席時の操作を鬱陶しく思う遊技者は前者を選択し、僅かな離席をほとんど行わず、発行処理時の操作を鬱陶しく思う遊技者は後者を選択する等、遊技者にいずれかを選択させることが可能となる。
【００１２】
請求項２の発明によれば、対応付処理を行うタイミングを適切に設定することができる。
請求項３の発明によれば、報知処理により、対応付処理を行うことを遊技者に促すことが可能となり、遊技者に対して積極的に請求項１，２の発明の機能を薦めることが可能となる。この場合、受付処理に応じて対応付処理を行うため、遊技者はＩＤの受付後、受付状態を解除すれば発行処理を抑制することが可能となる。即ち、ほぼ、一度の操作だけで複数回もの発行処理を抑制することが可能となり、利便性が大きく向上する。
請求項４の発明によれば、予告報知に応じて、受付状態を解除すれは対応付処理が行われないため、請求項１の発明における後者の遊技者に対する不意な抑制処理を予防出来る。
【発明を実施するための最良の形態】
【００１３】
以下、本発明を台毎計数システムに適用した一実施形態について図面を参照して説明する。図１は、システム全体を示す概略図である。遊技機１に対応して貸出装置２及び計数装置３が設置されている。管理室には管理装置４が設置されている。２台の遊技機１、貸出装置２、計数装置３に対応して中継装置５が設置されている。管理装置４は、中継装置５を介して貸出装置２、計数装置３、遊技機１とＬＡＮにより接続されており、中継装置５を介して遊技機側（遊技機１、貸出装置２等）から送信される遊技信号を受信する。
【００１４】
遊技機１には、図柄変動用の表示部６、図柄変動開始用の始動口７、大当たり時に開放する大入賞口８、遊技媒体を盤面に発射するためのハンドル９、払出された遊技媒体を受けて貯留する上玉受皿１０、この上玉受皿１０から溢れた遊技媒体を受けて貯留する下玉受皿１１、この下玉受皿１１に貯留された遊技媒体を落下するためのレバー１２が設けられている。
【００１５】
図２は、遊技機１の上玉受皿１０を示す平面図である。上玉受皿１０には、遊技機１の本体内に設けられた玉払出装置と連結した玉払出口１３が開口しており、その玉払出口１３から遊技状態に応じて貸玉、再遊技玉或いはセーフ玉が上玉受皿１０に払出されるようになっている。上玉受皿１０には、残度数表示部１４、貸出釦１５、返却釦１６が設けられている。残度数表示部１４は、貯玉の範囲内で払出可能な度数を示すもので、１度数が１２５玉に設定されている。貸出釦１５が押下げられたときは、玉払出口１３から１２５玉が払出されると共に、残度数表示部１４に表示されている度数が１減算される。返却釦１６が押下げられたときは、表示されている残度数が０にリセットされる。
【００１６】
図１に戻って、貸出装置２は、貨幣受入口１７、コイン返却口１８、会員カード口（受付手段に相当）１９を備え、計数装置３と直接的に接続されており、後述するように会員カードが会員カード口１９へ挿入（「遊技者のＩＤを受付けた場合」に相当）されると、受付信号を計数装置３に送信し、返却操作（遊技機１からの返却要求信号の受信）を受付すると、会員カードを返却し、返却信号を計数装置３に、残高情報を管理装置４に送信する。計数装置３と貸出装置２とで本発明でいう遊技機装置が構成されている。
【００１７】
図４は、貸出装置２の記憶領域を示している。記憶領域には、「入金額」、「貸出額」、「残高」の各項目が設定されており、それらの意味は次の通りである。
入金額＝受付けた貨幣の合計値。
貸出額＝貸出玉に対する対価（１玉４円）の合計値。
残高＝入金額−貸出額で、この残高がある状態で貸出操作を受付けた場合には、何回の払出単位（２５玉）の払出が可能かを判断して、所定数（５回）以上の払出が可能であれば、所定数を残払出数とし、可能でなければ残高に応じた払出回数を残払出数として貸出許可信号を送信する貸出処理を行う。
尚、残高のみを記憶する構成でも良い。また、その他、払出単位等の設定情報等も記憶する。
【００１８】
計数装置３は、タッチパネル式の情報表示部（報知手段に相当）２０、払出釦２１、発行釦２２、計数カード口（発行手段、対応付手段に相当）２３、玉払出口（払出手段に相当）２４を備えており、玉払出口２４から遊技機１の上玉受皿１０に遊技媒体を払出す。計数装置３の下部には計数部（計数手段に相当）２５が設けられており、その計数部２５に案内腕２６に支持された可動玉受皿２７が旋回可能に設けられている。
【００１９】
可動玉受皿２７は、遊技機１の下玉受皿１１の下方に位置しており、遊技者が遊技にて獲得した玉をレバー１２に対する操作により可動玉受皿２７へと導いた場合には、計数部２５にて玉数を計数して持玉を加算する。尚、持玉は情報表示部２０にて表示される。また、計数カード口２３の奥には、所定数（５枚）の持玉カード（記録媒体に相当）をストックするストック部が設けられている。
【００２０】
計数装置３は、遊技機１に対応して設けられ、ＣＰＵを主体とする制御部（計数手段、受付手段、発行手段、対応付手段、設定手段、抑制手段に相当）、ＲＡＭ、ＲＯＭ等からなる記憶部（設定手段に相当）、Ｉ／Ｏからなる送受信部（受信手段に相当）から構成されていると共に、本発明に関連した記憶領域を備えている。
【００２１】
図３は、計数装置３の記憶領域を示している。記憶領域には、「持玉ＩＤ」、「会員ＩＤ」、「持玉」、「貯玉」が記憶されると共に、設定情報として「対応付値」、「受付終了値」が記憶されており、各項目の意味は次の通りである。
持玉ＩＤ＝対応する持玉カードＩＤ。
会員ＩＤ（「遊技者のＩＤ」に相当）＝遊技者の会員ＩＤ。
持玉（獲得媒体に相当）＝計数部による計数にて加算され、持玉に基づく払出処理にて減算される遊技者の持玉数。
貯玉＝日付更新時等の貯玉更新条件が成立した場合に、持玉分が加算（移行）され、貯玉に基づく払出処理にて減算される遊技者の貯玉数。
対応付値（「対応付処理に関する所定の条件である対応付条件」、及び「所定のしきい値」に相当）＝設定情報の１つ。対応付処理を行う持玉のしきい値。
受付終了値＝設定情報の１つ。受付報知を終了するしきい値。
尚、持玉、或いは貯玉に基づく払出処理により払出した払出玉や、計数玉等を記憶する構成としても良い。その他、払出単位等の設定情報等も記憶する。
【００２２】
計数装置３は、管理装置４から設定情報を受信した場合には、対応付値等の設定情報を更新する。尚、設定操作を受付け、直接的に設定出来る構成でも良い。
管理装置４は、本発明に関連した記憶領域を備えており、その記憶領域を適宜更新することで遊技情報を管理する。
【００２３】
図５は会員ＩＤ毎の周知の会員情報を記憶した会員記憶領域を示しており、貸出装置２からの残高情報、計数装置３からの貯玉情報により更新される。
図６は持玉ＩＤ毎の計数記憶領域を示しており、計数装置３からの対応付情報や発行情報等により更新される。計数装置３における対応付値、受付終了値、払出単位等を設定可能であり、設定更新した場合等に設定情報を計数装置３に送信する。
【００２４】
次に、上記構成の作用について説明する。
図７は、貸出装置２の処理を示すフローチャートである。貸出装置２は、会員カードを受付けたか（Ａ１）、貨幣またはＩＣコインを受付けたか（Ａ３）、貸出操作を受付けたか（Ａ５）、返却操作が有ったか（Ａ７）を判断している。遊技者が会員カードを挿入すると、貸出装置２は、会員カードを受付けたと判断し（Ａ１：ＹＥＳ）、受付信号を管理装置４に送信することにより残高を問い合わせる（Ａ２）。管理装置４は、貸出装置２からの問い合わせに応じて図５の会員記憶領域に記憶されている該当する残高を貸出装置２に送信する。これにより、貸出装置２は、図４の記憶領域の残高を更新する（Ａ４）。尚、以下も含め、フローには示さないが、図４の記憶領域の残高を更新した場合には、遊技機１へと残高更新情報を送信し、残高更新情報を受信した遊技機１では、その残高更新情報により残度数表示部１４を更新する。
以上のようにして、会員カード受付処理が行われる。
【００２５】
図８は、計数装置３の処理を示すフローチャートである。計数装置３は、計数処理（Ｂ１）、払出処理（Ｂ２）、信号受信処理（Ｂ３）、カード処理（Ｂ４）を繰返して実行している。
図１１は、計数装置３による信号受信処理を示すフローチャートである。計数装置３は、受付信号を受信したか（Ｅ１）、返却信号を受信したか（Ｅ８）を判断している。貸出装置２から受付信号を受信すると（Ｅ１：ＹＥＳ）、会員カードを受付けていることを示す会員フラグを１としてから（Ｅ２）、会員受付処理を行う（Ｅ３）。この会員受付処理では、図３の記憶領域における会員ＩＤの更新の他に、受付けた会員ＩＤに対応する貯玉数を管理装置４に問い合わせ、貯玉数を更新する等の処理を行う。次に、受付報知中かを判断し（Ｅ４）、受付報知中でない場合は（Ｅ４：ＮＯ）、リターンする。
【００２６】
貸出装置２は、図７の処理において、遊技者により投入された貨幣、或いは後述する返却処理により返却されたＩＣコインを受付けると（Ａ３：ＹＥＳ）、図４の記憶領域に対応分の残高を更新（加算）する（Ａ４）。遊技機１では、貸出装置２から受信した入金額を残度数表示部１４に表示する。
【００２７】
遊技者は、残度数表示部１４に残度数が表示された状態で貸出玉の払出しを受ける場合は貸出釦１５を押下げる。
遊技機１は、遊技者による貸出釦１５の押下に応じて貸出装置２に貸出要求信号を送信する。貸出装置２は、遊技機１から貸出要求信号を受信したときは（Ａ５：ＹＥＳ）、貸出処理を実行する（Ａ６）。この貸出処理では、図４の記憶領域の残高を参照し、残高があれば（０以上）、残高に応じた残払出数（５回、或いは残高に応じた数）を特定し、残高を減算して貸出許可信号を遊技機１に送信する。尚、残高がない場合は貸出拒否信号を送信する。貸出許可信号を受信した遊技機１は、払出数（２５玉）単位で貸出玉を払出口１３より払出し、残度数表示部１４を更新し、払出完了信号を貸出装置２へ送信する。払出完了信号を受信した貸出装置２は、残払出数がある（０以上の）場合は、残払出数を減算すると共に残高を減算して貸出許可信号を送信する。そして、残払出数が０となるまで上述した動作を繰り返し、０となったら処理を終了する。
【００２８】
以上のようにして、貸出装置２による遊技媒体の貸出処理が行われる。
遊技者が、獲得した遊技媒体を計数するために遊技機１のレバー１２を操作すると、下玉受皿１１の遊技媒体が可動玉受皿２７から案内腕２６を通じて計数部２５に案内され、計数部２５において遊技媒体が計数される。
【００２９】
図９は、計数装置３による計数処理を示すフローチャートである。計数装置３は、計数があった場合は（Ｃ１：ＹＥＳ）、持玉を加算し（Ｃ２）、持玉カードが未特定か、即ち持玉が０から１へと加算された（最初の計数）かを判断する（Ｃ３）。持玉が未特定、即ち、最初の計数であれば（Ｃ３：ＹＥＳ）、持玉カードのＩＤを読み取ることにより持玉カードを特定する（Ｃ４）。
【００３０】
次に、対応付フラグ＝０かを判断する（Ｃ５）。この対応付フラグは対応付処理済（対応付状態）を示すフラグである。この場合、対応付フラグ＝０であることから（Ｃ５：ＹＥＳ）、持玉が対応付値以上かを判断する（Ｃ６）。持玉が図３の対応付値以上となった場合には（Ｃ６：ＹＥＳ）、貸出装置２にて会員カード受付中（受付状態）であることを示す会員フラグを確認し（Ｃ７）、会員カード受付中であれば（Ｃ７：ＹＥＳ）、対応付フラグを１としてから（Ｃ８）、対応付処理を行う（Ｃ９）。会員カードを受付中でなければ（Ｃ７：ＮＯ）、会員カードを挿入することを促す受付報知（表示）（報知処理に相当）を情報表示部２０等で行う（Ｃ１０）。この受付報知に応じて遊技者による会員カードの挿入があり、図１１の信号処理において、受付信号を受信したときは（Ｅ１：ＹＥＳ）、受付報知中であるので（Ｅ４：ＹＥＳ）、受付報知を終了し（Ｅ５）、対応付フラグを１としてから（Ｅ６）、対応付処理を行う（Ｅ７）。
【００３１】
対応付処理では、持玉カードに会員ＩＤと、その暗証番号とを記録し、更に管理装置４に対して、持玉ＩＤ、及び会員ＩＤとを特定可能な対応付情報を送信する。対応付情報を受信した管理装置４は、図６の計数記憶領域に持玉ＩＤについての新規レコードを作成し、会員ＩＤを対応付ける等の更新を行う。
【００３２】
遊技者は、上述のように計数装置３による計数にて持玉が有る状態で持玉の払出を受ける場合は、払出釦２１を押下げることで払出操作を行う。
図１０は、計数装置３による払出処理を示すフローチャートである。計数装置３は、遊技者による払出操作が有ったかを判断しており（Ｄ１）、遊技者による払出操作が有った場合に（Ｄ１：ＹＥＳ）、持玉が有ったときは（Ｄ２：ＹＥＳ）、持玉に基づく払出処理を実行する（Ｄ３）。この持玉に基づく払出処理では、払出１単位（１２５玉）を玉払出口２４より払い出すと共に、同数の持玉を図３の記憶領域における持玉から減算する。
【００３３】
次に、受付報知中かを判断し（Ｄ４）、受付報知中で無いときは（Ｄ４：ＮＯ）、リターンする。受付報知中の場合は（Ｄ４：ＹＥＳ）、持玉が図３の受付終了値以下となったかを判断し（Ｄ５）、受付終了値以下となったときは（Ｄ５：ＹＥＳ）、受付報知を終了する（Ｄ６）。
【００３４】
持玉が無いものの（Ｄ２：ＮＯ）、会員カード受付中の場合は（Ｄ７：ＮＯ）、貯玉に基づく払出処理を実行する（Ｄ９）。この貯玉に基づく払出処理では、払出１単位を払い出すと共に、払出玉数に所定の手数料玉（４２玉）を加えた値を対価として図３の貯玉から減算する。この場合、管理装置４へとその旨を示す貯玉情報を送信し、管理装置４でも図５の貯玉数を更新する。
【００３５】
また、持玉が無く（Ｄ２：ＮＯ）、更に会員カードの受付中でない場合は（Ｄ７：ＹＥＳ）、対応付けフラグ＝１かを判断する（Ｄ８）。対応付けフラグ＝１の場合は（Ｄ８：ＹＥＳ）、会員カードと持玉カードとの対応付け後に会員カードが抜かれていることを意味しているから、このような場合は、正常であると判断し、貯玉に基づく払出処理を実行する（Ｄ９）。
【００３６】
遊技者は、持玉カードを発行する場合は、計数装置３の発行釦２２を押下げる。
図１２は、計数装置３によるカード処理を示すフローチャートである。計数装置３は、発行操作が有ったか（Ｆ１）、持玉カードを受付けたか（Ｆ８）を判断している。遊技者による発行操作（発行釦押下）があったときは（Ｆ１：ＹＥＳ）、対応付フラグ＝０（対応付けが未処理）かを判断する（Ｆ２）。対応付処理済で（Ｆ２：ＮＯ）、会員カードを受付中であれば（Ｆ５：ＹＥＳ）、特定済みの持玉カードに持玉等（「獲得媒体数を特定可能な情報」に相当）を記録して排出する発行処理を行う（「抑制処理を行わない」に相当）（Ｆ６）。対応付処理済であるにも関わらず会員カードを受付けていなければ（Ｆ５：ＮＯ）、会員カードを挿入しないと持玉カードを発行出来ない（抑制処理に相当）旨を示すエラー報知（表示）を情報表示部２０等で行う（Ｆ７）。対応付処理が未処理である場合は（Ｆ２：ＹＥＳ）、発行処理を行う（「抑制処理を行わない」に相当）（Ｆ６）。この場合、受付報知中であれば（Ｆ３：ＹＥＳ）、受付報知を終了する（Ｆ４）。
【００３７】
発行処理では、特定済みの持玉カードに図３の記憶領域における持玉を記録して排出し、管理装置４に持玉ＩＤ、持玉を特定可能な発行情報を送信する。また、対応付フラグが１であれば０とする。発行情報を受信した管理装置４は、図６に対応するレコードが無ければ新規レコードを作成し、対応レコードが存在する場合は、対応レコードの持玉等を更新する。尚、計数装置３から発行された持玉カードにより、図示しないＰＯＳにより持玉を景品と交換出来る。
【００３８】
遊技者は、上述の発行処理により発行された持玉カードで払出しを受けたい場合は、持玉カードを計数装置３に差し込む。
計数装置３は、図１２のカード処理において、持玉カードを受付けた場合は（Ｆ８：ＹＥＳ）、受付処理を行う（Ｆ９）。この受付処理では、受付けた持玉ＩＤに対応する持玉を管理装置４に問い合わせる。管理装置４では、図６の計数記憶領域において対応する持玉ＩＤがあれば、会員ＩＤ、及びその貯玉を特定可能な受付情報を計数装置３へ送信する。計数装置３は、管理装置４から受信した受付情報に基づいて特定した貯玉を図３の記憶領域における貯玉に加算する。
【００３９】
さて、遊技者が持玉を有した状態で遊技機１から離れる場合は、悪用（盗難等）を防止するために持玉カードを発行し、その持玉カードと会員カードとを持っていく必要があるものの、トイレやジュースの買出し等の休憩のように短時間だけ離席する際にも持玉カードを一々発行することは煩わしい。
【００４０】
ところで、上述した通り、対応付条件が満たされた状態（Ｃ６：ＹＥＳ）で、会員カード受付中であれば（Ｃ７：ＹＥＳ）、対応付処理がなされる（Ｃ９）。この場合、持玉が所定数以上（Ｃ６：ＹＥＳ）あることから、残高による貸出処理の必要性も低くなる。また、会員カードを受付状態にしておかなくても貯玉に基づく払出処理が可能になるので（Ｄ７：ＹＥＳ、Ｄ８：ＹＥＳ、Ｄ９）、会員カードを受付状態にしておく必要性は低くなる。
【００４１】
ここで、遊技者が遊技機１の返却釦１６を押下げると、貸出装置２は、図７において、会員カード受付中に返却操作（所定の操作に相当）が有ったと判断し（Ａ７：ＹＥＳ、Ａ８：ＹＥＳ）、会員カードを返却し（Ａ９）、計数装置３に返却信号、管理装置４に残高情報を送信してから（Ａ１０）、図４にて残高を０とする更新を行う（Ａ１３）。計数装置３は、図１１の信号受信処理において、貸出装置２からの返却信号の受信に応じて（Ｅ８：ＹＥＳ）、会員フラグを０とする（Ｅ９、「受付状態の解除」に相当）。
【００４２】
以上のように、対応付処理後に会員カードの受付状態が解除されていれば、貸出装置２は、対応する会員カードを受付状態にできない第３者による発行操作が有った場合に（Ｆ１：ＹＥＳ）、発行処理（Ｆ６）を行うことはない（Ｆ２：ＮＯ、Ｆ５：ＮＯ、Ｆ７）。つまり、遊技者は、対応付処理後に会員カードの受付状態を解除するだけで、遊技中に短時間だけ離席する場合に一々発行操作を行わなくとも、離席中に第３者によって持玉カードを発行、即ち、盗難されることを防止できる。
【００４３】
尚、会員カードの受付表示としては、受付表示中に会員カードを受付すれば、持玉カードの発行を会員カードの受付を条件として行うので、休憩時に休憩操作を行うことなく離席しても持玉カードを持ちさられる虞がない旨を表示することが望ましい。また、エラー表示としては、会員カードを受付しないと持玉カードを排出出来ない旨を表示することが望ましい。
【００４４】
遊技機１に戻った遊技者は、上述した通り、持玉、或いは貯玉に基づく払出処理により会員カードを受付することなく遊技を継続できるが、遊技を終了する場合は持玉カードを発行するのに会員カードを受付状態にする必要があるため貸出装置２に会員カードを差し込む。計数装置３は、図１１の信号受信処理において、貸出装置２からの受付信号を受信するので（Ｅ１：ＹＥＳ）、会員フラグを１としてから（Ｅ２）、会員受付処理を実行する（Ｅ３）。その後、遊技者が発行操作を行えば会員フラグ＝１（受付状態に相当）となっているので（Ｆ５：ＹＥＳ）、発行処理により持玉カードを発行出来る（Ｆ６）。尚、返却操作を行った場合（Ａ７：ＹＥＳ）に、会員カードを受付中でなく（Ａ８：ＮＯ）、残高が有れば（Ａ１１：ＹＥＳ）、ＩＣコインを発行する。
【００４５】
計数装置３は、貸出装置２から返却信号を受信したときに（Ｅ８：ＹＥＳ）、対応付処理が未処理であれば（Ｅ１０：ＹＥＳ）、会員遊技終了として管理装置４に貯玉情報を送信してから（Ｅ１１）、図３の記憶領域を更新（会員ＩＤ等の会員情報を初期化）する（Ｅ１２）。
【００４６】
以上のようにして、貸出装置２及び計数装置３による返却処理が行われる。
尚、貸出操作、或いは返却操作の受付とは、貸出装置２における釦操作の受付だけでなく貸出要求信号や、返却要求信号の受付の概念も含む。
また、上記動作を把握し易い様に、端末間の情報のやり取りを「信号」、管理装置４との情報のやり取りを「情報」と区分けしたが、情報の種類としては同義であり、データ信号でも、パルス信号でも、情報を特定可能であれば、どの様な信号でも良い。
【００４７】
このような実施形態によれば、計数装置３は、貸出装置２が会員カードを受付けた状態で対応付条件が満たされた場合に持玉カードと会員カードとを対応付ける対応付処理を行い、対応付処理済であるにもかかわらず会員カードを受付けていない場合は、持玉カードの発行を禁止する一方、対応付処理が未処理である場合には持玉カードの発行を禁止しないようにしたので、会員カードの受付状態でない場合は持玉カードの発行を抑制するため、対応付処理後、遊技中に受付状態を解除すれば、僅かな期間の離席時等にいちいち記録媒体を発行する等の面倒な操作を行うこと無く、記録媒体を悪用（盗難等）される虞が無くなる。
【００４８】
また、対応付処理は会員カードが受付状態であることを条件に行われるため、少なくとも対応付条件が満たされるまでの期間に会員カードを挿入することによる受付処理を行わないようにして対応付処理を行わなければ、発行処理時に会員カードを受付しなくとも抑制処理が行われない。即ち、僅かな期間の離席を繰り返し、その離席時の持玉カードの発行操作を鬱陶しく思う遊技者は対応付処理を行い、僅かな離席をほとんど行わず、発行処理時の操作を鬱陶しく思う遊技者は対応付処理を行わないように選択する等、遊技者にいずれかを選択させることが可能となる。
【００４９】
また、対応付条件は、持玉が対応付値を超えることであり、計数に応じて持玉カードを特定し、発行操作を受付けたときに持玉カードを発行するようにしたので、対応付処理を行うタイミングを適切に設定することができ、会員カードの受付毎や、持玉が少なく盗難にあっても、その被害が小さい状態ではその処理を行わないように構成して、システム側の処理負担を軽減できる。
【００５０】
また、会員カードを受付けていない状態で対応付条件が満たされた場合に、受付報知を行い、受付報知中に会員カードを受付けた場合に対応付処理を行うようにしたので、報知処理により、対応付処理を行うことを遊技者に促すことが可能となり、遊技者に対して積極的に会員カードを用いた上記機能を薦めることが可能となる。この場合、会員カードの受付処理に応じて対応付処理を行うため、遊技者は会員カードの受付後、会員カードを抜くことにより発行処理を抑制することが可能となる。即ち、ほぼ、一度の操作だけで複数回もの発行処理を抑制することが可能となり、利便性が大きく向上する。
【００５１】
（他の実施形態）
本発明は、上記実施形態に限定されることなく、次のように変形または拡張できる。
対応付処理が未処理の状態で、出玉の期待出来る大当たり状態になった旨の情報信号を遊技機１から受信した場合は、持玉が対応付値以上となる可能性が高いので、対応付処理を行いたくない場合、即ち、会員カードの受付に関わらず発行処理を行いたい場合には、会員カードを返却しておく旨を報知する予告報知を行っても良い。
【００５２】
対応付条件は、持玉以外に上記の大当たり状態や、所謂確変や時短等の特別状態（「所定の遊技状態」に相当）、或いは、遊技機１にて所定数以上の遊技媒体の払出し（「対応付処理に関する所定の条件」に相当）等を想定出来る。遊技機１の遊技状態を対応付条件とした場合には、上記した様に遊技機１から対応する状態となったかを特定可能な情報信号を受信する必要がある。また、上記予告報知を行う条件（予告報知条件に相当）として、対応付条件が成立する前に成立し得る条件とすることが望ましい。例えば対応付値よりも小さい予告報知値を設定し、持玉と比較したり、対応付条件を対応付値として、予告報知条件を大当たり状態となることとする等。
【００５３】
会員カード受付中は無条件で対応付処理を行う実施例としたが、別途、対応付の可否を選択する選択釦（選択手段）を設け、その操作に応じて対応付処理を行っても良い。同様に受付報知中に釦操作により受付報知を終了したり、対応付状態時に釦操作により対応付状態を解除する等しても良い。
【００５４】
対応付状態で、会員カードが受付状態でない場合に持玉カードの発行を禁止したが、例えば持玉カードに異常情報を対応付けて発行し、持玉カードの持玉をＰＯＳ等の装置にて使用出来なくしたり、交換可能な持玉数の制限、或いは持玉払出する際に暗証番号の入力を条件とする等、使用制限を課した持玉カードを発行する構成としても良い。勿論、発行処理自体は通常と同様に行い、管理装置やＰＯＳ側にて持玉ＩＤを異常ＩＤとして管理し上記使用制限等を行うようにしても良い。この場合も実質的に発行抑制がなされているので、これら全てを含めて発行処理を抑制する抑制処理と定義する。
【００５５】
受付中報知はランプを点灯させる表示方法であっても良い。また、音声や遊技者の携帯電話にメールをする等の報知処理としても良い。勿論、予告報知等の他の報知に付いても同様である。
持玉カードを最初の計数時に特定する実施例としたが、所定数の玉を計数した場合や発行処理時等、他のタイミングで特定しても良い。この場合、会員カードの受付状態で、持玉が対応付値以上となったタイミングに、仮の対応付状態とし、発行処理時に実際の対応付処理を行えば良い。
【００５６】
貸出装置２における受入貨幣は硬貨であっても良い。また、貸出釦、再遊技釦、及び発行釦は、遊技機１、貸出装置２、或いは計数装置３のいずれに設けても良い。その他、全ての数値は例示である。
会員カード、持玉カード等の記録媒体はカード以外に、コインや携帯電話等の媒体を想定出来る。また、会員ＩＤを指紋等の生体認証等により受付しても良い。この場合、指紋読取後、釦操作等所定の操作を受付けるまでが受付状態となる。カード等の記録媒体の情報を一時的に読み取った場合も同様である。また、返却操作としては、釦操作以外にカードを物理的に引き抜く行為も想定出来る。即ち、所定の操作とは、上記釦操作だけでなく、カードを引き抜く行為等も意味し、受付状態とはＩＤの読取可能状態だけでなく、ＩＤを有効化している状態を示す概念となる。
【００５７】
持玉カードに持玉等を記録する実施例としたが、カードに記録せず、管理装置４等の記録情報により持玉等を管理しても良い。勿論、会員カードに貯玉等を記録しても良い。
計数装置３の処理の一部を中継装置５等に行わせても良い。また、計数装置３と貸出装置２等を一体的に設けても良い。勿論、計数カード口と会員カード口とが一体的に設けられても良い。
【００５８】
対象となる遊技機１はパチスロ等どの様な遊技機１であっても良く、対象となる遊技媒体もメダル等の遊技媒体を採用しても良い。
貸出装置２、或いは計数装置３に貯玉釦を設け、貯玉釦操作時には、持玉カードを発行せずに、そのまま貯玉する様にしても良い。この場合、遊技者は、別途貯玉処理を行うことなく退店できる様になる。
【図面の簡単な説明】
【００５９】
【図１】本発明の一実施形態におけるシステム全体を示す概略図
【図２】遊技機の上玉受皿を示す平面図
【図３】計数装置の記憶領域を示す図
【図４】貸出装置の記憶領域を示す図
【図５】管理装置の会員記憶領域を示す図
【図６】管理装置の計数記憶領域を示す図
【図７】貸出装置の処理を示すフローチャート
【図８】計数装置の処理を示すフローチャート
【図９】計数装置の計数処理を示すフローチャート
【図１０】計数装置の払出処理を示すフローチャート
【図１１】計数装置の信号受信処理を示すフローチャート
【図１２】計数装置のカード処理を示すフローチャート
【符号の説明】
【００６０】
図面中、１は遊技機、２は貸出装置（遊技機装置）、３は計数装置（遊技機装置、計数手段、受付手段、発行手段、対応付手段、設定手段、抑制手段、設定手段、受信手段）、１９は会員カード口（受付手段に相当）、２０は情報表示部（報知手段）、２３は計数カード口（発行手段、対応付手段）、２４は玉払出口（払出手段）、２５は計数部（計数手段）である。
【図１】
2010119570.tif 000003
【図２】
2010119570.tif 000004
【図３】
2010119570.tif 000005
【図４】
2010119570.tif 000006
【図５】
2010119570.tif 000007
【図６】
2010119570.tif 000008
【図７】
2010119570.tif 000009
【図８】
2010119570.tif 000010
【図９】
2010119570.tif 000011
【図１０】
2010119570.tif 000012
【図１１】
2010119570.tif 000013
【図１２】
2010119570.tif 000014